(57)【特許請求の範囲】
【請求項１】
遊技機が多数設けられると共に、前記各遊技機の前に椅子が並べられてなる遊技島設備において、
前記各椅子の内少なくとも一部の椅子は、
床面に設けられると共に遊技機と一対一に配置されたターンテーブル上に設置されており、該ターンテーブルの回転中心から所定の距離を隔てた該ターンテーブル上の一点に立設された支柱と、該支柱の上に設けられる座席部とを備え、
前記ターンテーブルは、
当該ターンテーブルを回転させたときに、前記椅子が使用される使用位置と、前記遊技機の下部に前記椅子が収納される収納位置との間で前記椅子が移動するように配置される
ことを特徴とする遊技島設備。
【請求項２】
遊技機が多数設けられると共に、前記各遊技機の前に椅子が並べられてなる遊技島設備において、
前記各椅子の内少なくとも一部の椅子は、
床面と同じ高さに設けられると共に遊技機と一対一に配置されたターンテーブル上に設置されており、該ターンテーブルの回転中心から所定の距離を隔てた該ターンテーブル上の一点に立設された支柱と、該支柱の上に設けられる座席部とを備え、
前記ターンテーブルは、
当該ターンテーブルを回転させたときに、前記椅子が使用される使用位置と、前記遊技機の下部に前記椅子が収納される収納位置との間で前記椅子が移動するように配置される
ことを特徴とする遊技島設備。
【請求項３】
請求項１又は２記載の遊技島設備において、
前記ターンテーブルを、所定の回転位置で停止させておくことができる停止手段を備えていること
を特徴とする遊技島設備。
【請求項４】
請求項１〜３何れか記載の遊技島設備において、
前記座席部を、座面を水平とする使用姿勢と座面を鉛直とする収納姿勢の間で移動可能に構成したこと
を特徴とする遊技島設備。
【請求項５】
請求項１〜４何れか記載の遊技島設備において、
該各遊技機の前面に、前方へ向かって張り出す様に物置台を備え、
前記物置台が各遊技機毎に分割されており、該分割された個々の物置台の両脇部分が、前記遊技機の奥へ向かって没入可能に構成されていること
を特徴とする遊技島設備。
【請求項６】
請求項１〜４何れか記載の遊技島設備において、
該各遊技機の前面に、前方へ向かって張り出す様に物置台を備え、
前記物置台が各遊技機毎に分割されており、該分割された個々の物置台の両脇部分が、水平な使用位置から、必要に応じて下方に回動させることができる様に構成されていること
を特徴とする遊技島設備。
【発明の詳細な説明】
【０００１】
【発明の属する技術分野】
本発明は遊技島設備に関する。
【０００２】
【従来の技術】
従来、車椅子に乗っている人は、パチンコホール等で遊技を行う場合には、遊技機に備え付けられている椅子の状態に合わせて、遊技前に行う準備的な行動を変化させていた。
【０００３】
ここで、備え付けられている椅子の状態としては、床面或は遊技島に脚が固定されている場合と、脚が固定されておらず、自由に移動させられる場合がある。
そして、車椅子に乗っている人は、遊技機に備え付けられている椅子が床面或は遊技島に脚を固定されている場合には、車椅子から降りて備え付けの椅子に移ってから遊技を行い、椅子が固定されていない場合には、備え付けの椅子を移動させて車椅子に座ったままで遊技を行っていた。
【０００４】
【発明が解決しようとする課題】
しかしながら、車椅子に乗っている人にとって、車椅子から備え付けの椅子に移るという行為は、大変辛いものである。また、補助を行う者にも、大きな負担がかかる。更に、座り換えた後、車椅子を邪魔にならない位置まで運ばなければならず、手間がかかる上に、車椅子置き場を別途設けなければならない。
【０００５】
また、備え付けの椅子を移動させる場合も、移動させる手間がかかり、同様に椅子置き場が必要である。
さらに、車椅子専用コーナーとして、最初から椅子が備え付けられていない区域を設けることも考えられるが、足が不自由でない人にとっては、単に利用できない区域となってしまう。また、車椅子専用コーナーの遊技機の稼動率は、一般の区域の稼動率に比べ、かなり低くなることが予想される。従って、車椅子専用コーナーで得られる利益は、一般の区域で得られる利益に比べ、低くなることが予想される。このような理由から、車椅子専用コーナーはあまり広くすることができない。また、広くすることができないので、遊技機の種類や数が制限される。従って、仮に車椅子専用コーナーを設けたとしても、希望する遊技機が設置されていないこともあり、遊技を十分に楽しむことはできない。
【０００６】
なお、単に備え付けの椅子を遊技島内部に収納する構造としては、例えば特開平８−２４３２５１の公報に、床面に設けられた支持部を軸として椅子を回転させ、遊技島内部に収納する構造が記載されている。しかし、この様な構造では、支持部が邪魔となって車椅子を遊技機に接近させることはできない。従って、車椅子に乗ったままでは遊技を行うことができない。
【０００７】
以上のように、車椅子に乗っている人に対するパチンコホール等の遊技場の整備は、完全なものとは言えない。そして、車椅子に乗っている人は、自分自身の煩わしさだけでなく、他人にも負担をかけてしまうという意識によって、気軽にパチンコホールを訪れることができない。
【０００８】
そこで、本発明は、備え付けの椅子を簡単に収納すること等により、車椅子に座ったままでも遊技ができる様にすることを目的とする。
【０００９】
【課題を解決するための手段及び発明の効果】
かかる目的を達成するため、請求項１記載の遊技島設備は、遊技機が多数設けられると共に、前記各遊技機の前に椅子が並べられてなる遊技島設備において、前記各椅子の内少なくとも一部の椅子は、床面に設けられると共に遊技機と一対一に配置されたターンテーブル上に設置されており、該ターンテーブルの回転中心から所定の距離を隔てた該ターンテーブル上の一点に立設された支柱と、該支柱の上に設けられる座席部とを備え、前記ターンテーブルは、当該ターンテーブルを回転させたときに、前記椅子が使用される使用位置と、前記遊技機の下部に前記椅子が収納される収納位置との間で前記椅子が移動するように配置されることを特徴とする。
【００１０】
上記の様な構成であるため、車椅子に乗っている人が遊技をする場合には、次の様にすれば良い。まず、車椅子に乗ったままで、希望の遊技機の前にある椅子の所まで進む。次に、ターンテーブル上に設けられている椅子を、ターンテーブルの回転に従って遊技機の下部（以下収納位置という）に移動させる。すると、椅子が収納されたことによって遊技機の前に空間ができるので、その空間に車椅子のまま進み、車椅子に乗ったままで遊技を行う。
【００１１】
この様に、請求項１記載の遊技島設備は、ターンテーブルの回転動作によって、椅子全体を遊技島の内部に収納するので、車椅子に乗ったままで遊技機に接近しても、備え付けの椅子が邪魔になることがない。また、遊技機に備え付けられている椅子を簡単に収納することができるので、車椅子に乗っている人は、車椅子が占有する空間を、自分の力で作り出すことができる。さらに、付添いの人や周りの人に手を借りるとしても、大した手間はかからないので、気兼ねをすることがない。また、請求項２記載の遊技島設備は、遊技機が多数設けられると共に、前記各遊技機の前に椅子が並べられてなる遊技島設備において、前記各椅子の内少なくとも一部の椅子は、床面と同じ高さに設けられると共に遊技機と一対一に配置されたターンテーブル上に設置されており、該ターンテーブルの回転中心から所定の距離を隔てた該ターンテーブル上の一点に立設された支柱と、該支柱の上に設けられる座席部とを備え、前記ターンテーブルは、当該ターンテーブルを回転させたときに、前記椅子が使用される使用位置と、前記遊技機の下部に前記椅子が収納される収納位置との間で前記椅子が移動するように配置されることを特徴とする。
上記のような構成であるため、請求項１と同様の効果を奏する。さらに、ターンテーブルは、床面と同じ高さに設けられているので、車椅子が遊技機に接近する場合に支障を来すことがない。よって、車椅子に乗っている人も、気軽にパチンコホールを訪れることができ、そして、遊技を楽しむことができる。
【００１２】
また、請求項３記載の遊技島設備は、請求項１又は２記載の遊技島設備において、前記ターンテーブルを、所定の回転位置で停止させておくことができる停止手段を備えていることを特徴とする。上記の様な構成であるため、前記ターンテーブルは、その上に設けられている椅子が使用される場合の位置（以下使用位置という）、収納位置及びその他所望の位置において停止させておくことができる。
【００１３】
この様に、請求項３記載の遊技島設備は、ターンテーブル上に設けられている椅子を、使用位置や収納位置で固定することができるので、前記椅子を利用して遊技を行う場合に前記椅子が左右に揺れることがなく、また、収納位置にある椅子が意に反して動き出すこともない。よって、車椅子に乗っている人が便利に利用することができるだけでなく、ターンテーブル上の椅子を利用する人の遊技にも支障がない。
【００１４】
また、前記椅子を収納位置に移動させたとしても、前記椅子の座席部が大きい場合には、車椅子に乗っている人が遊技をする為に遊技機に接近すると、前記椅子が膝等に当たり、遊技の邪魔になることがある。そこで、請求項４記載の遊技島設備は、請求項１〜３何れか記載の遊技島設備において、前記座席部を、座面を水平とする使用姿勢と座面を鉛直とする収納姿勢の間で移動可能に構成したことを特徴とする。
【００１５】
この様に、請求項４記載の遊技島設備は、座席部を、水平方向の占有空間が狭い収納姿勢へと移動させることができるので、車椅子で進入しても椅子が膝等に当たらず、邪魔にならない。従って、遊技機に接近して遊技を行うことができる。
【００１６】
しかし、上述の様に遊技島設備を整備しても、車椅子に乗ったままでは遊技機に接近することができない場合がある。それは、遊技機の前面に設けられている物置台が邪魔になる場合である。遊技機が設置されている高さは、美観等に影響を及ぼすのでパチンコホール毎に異なる。そして、この高さによって、前記物置台が設置される高さが決まる。従って、パチンコホールによっては、前記物置台の高さが、車椅子に設けられている肘掛けの高さとほぼ等しくなる場合があり、この場合には、前記物置台が張り出している分だけ接近を拒まれることになる。そこで、請求項５記載の遊技島設備は、請求項１〜４何れか記載の遊技島設備において、該各遊技機の前面に、前方へ向かって張り出す様に物置台を備え、前記物置台が各遊技機毎に分割されており、該分割された個々の物置台の両脇部分が、前記遊技機の奥へ向かって没入可能に構成されていることを特徴とし、請求項６記載の遊技島設備は、前記分割された個々の物置台の両脇部分が、水平な使用位置から、必要に応じて下方に回動させることができる様に構成されていることを特徴とする。
【００１７】
請求項５記載の遊技島設備は、詳しくは次の様なものである。前記物置台は、遊技島設備に一体となって設けられているのではなく、遊技機毎に分割されて設けられている。また、各遊技機に設けられた個々の物置台の両脇部分は、前記遊技機の奥へスライドさせて収納できる様に構成されている。請求項６記載の遊技島設備においては、両脇部分が前記遊技機に回動可能に取り付けられており、「水平な使用位置」と「下方に回動させた収納位置」との間を自在に移動することができる様に構成されている。ここで、「水平な使用位置から、必要に応じて下方に回動させることができる」とは、少なくとも使用位置において係止しておくことができ、係止を解除することによって下方に回動させることができるという意味である。
【００１８】
この様に構成されているので、車椅子に設けられている肘掛けの高さが前記物置台の高さとほぼ等しい場合には、請求項５記載の遊技島設備においては、遊技前に前記物置台の両脇部分を前方にスライドさせ、請求項６記載の遊技島設備においては、前記両脇部分を収納位置まで回動させることにより、車椅子に設けられている肘掛けの邪魔にならないようにしてから遊技を行う。従って、車椅子を遊技機に接近させることができる。また、物置台の両脇部分を収納しても、中央部分はドル箱を置くために利用できるので便利である。なお、車椅子に乗っていない人が利用する場合には、両脇部分を元に戻すことによって、一般の物置台と同じ様に利用することができるので、車椅子に乗っていない人の遊技に支障を来すこともない。
【００２１】
【発明の実施の形態】
次に、本発明の実施の形態を図面に基づいて説明する。
［実施の形態１］
実施の形態の遊技島設備に適用する椅子１１は、図１、図２に示す様に、床面とほぼ同じ高さに設けられたターンテーブル１２の上に設けられており、ターンテーブル１２の回転中心から適当な距離を隔てたターンテーブル１２上の一点に立設された支柱１３と、支柱１３の上に設けられた座席部１４から成り、遊技島１に設けられている多数の遊技機２の内の対応する一機の正面に位置している。ターンテーブル１２は、その上に設けられた椅子１１と共に自由に回転することができるが、意に反した回転を防ぐために、上記の停止手段としての停止部材１５が設けられている。
【００２２】
椅子１１を収納するときは、座席部１４をターンテーブル１２の回転中心（遊技機側）に向けて倒す。そして、停止部材１５による回転の抑制を解除し、ターンテーブル１２を半周回転させる。これによって、図１、図２に示す様な使用位置にあった椅子１１は、図３、図４に示す様なスペース３内の収納位置に移動する。即ち、支柱１３及び座席部１４がスペース３に収納されることにより、遊技機２の下部前方に十分な空間が確保でき、車椅子を乗り付けることが可能となり、車椅子が遊技機２に接近しても、椅子１１は邪魔にならない。そして、ターンテーブル１２の回転を停止部材１５によって抑制する。
【００２３】
椅子１１を再び使用位置に戻すときは、上記と逆の作業、つまりターンテーブル１２を反対方向に回転させ、停止部材１５によって使用位置に固定し、座席部１４を起こす作業を行えば良い。
ここで、図５を用いて停止部材１５の構造を説明する。図５（ａ）は、図２に示す停止部材１５とその周辺の拡大図である。停止部材１５は、ターンテーブル１２の下面に設けられた突起１６と、床面に設けられた凹部材１７からなり、凹部材１７は金属製で弾性がある。図５（ｂ）は平面図であり、ターンテーブル１２を停止させておくときには、突起１６と凹部材１７は同図の様に係合している。停止を解除する場合には、ターンテーブル１２の回転方向へ付勢し、突起１６を図５（ｂ）の矢印Ｘの方向へ移動させる。凹部材１７は弾性があるので、開口部１８は突起１６の移動に伴って押し広げられる。さらに突起１６が移動すると、図５（ｃ）の様に係合が解除され、ターンテーブル１２の停止が解除される。
【００２４】
この実施の形態によれば、車椅子に乗っている人が遊技する場合には、店員或は車椅子に乗っている人自身が座席部１４を倒し、ターンテーブル１２を回転させて椅子１１を遊技島１に収納することにより、遊技機２の前に空間を生じさせる。そして、その空間で車椅子に乗ったまま遊技を行う。更に、車椅子に乗っている人の遊技が終り、次の遊技者が椅子１１を使用する場合には、収納する作業と逆の作業を行うことにより、椅子１１を元の位置に戻す。ここで、座席部１４をターンテーブル１２の回転中心方向へ倒すようにしたのは、椅子１１を収納位置へ移動させたときに、座席部１４の座面１９を遊技者側に向かせるためである。この様に座面１９が遊技者側を向いていると、座席部１４を例えば柔らかいクッションで形成することにより、足休めとしても利用することができる。
【００２５】
この様に、簡単に椅子１１を収納したり取り出したりできるので、車椅子に乗っている人にとって便利であるだけでなく、備え付けの椅子１１を利用する人にとっても何等不都合がない。また、面倒な対処をする必要がないため、店員は他のサービスに力を注ぐことができる。
【００２６】
また、上記の様に椅子１１を収納位置に収納すると、遊技島間の通路を掃除するときに椅子１１が邪魔にならず、作業を能率的に行うことができる。掃除が終った後に椅子１１を元に戻す作業も、ターンテーブル１２を回転させる等の簡単な作業だけである。よって、掃除にかかる手間を削減することができる。
【００２７】
［実施の形態２］
本実施の形態の遊技島設備に適用する物置台は、図６、図７の様に、従来の物置台と同じ様な位置に設けられている。しかし、従来とは異なり、本実施の形態の物置台は各遊技機毎の物置台２１に分割されると共に、物置台２１が、さらに中央部分２２と両脇部分２３の３つに分割されている。中央部分２２は、従来の物置台の様に、遊技機２の下部に固着されている。これに対し、両脇部分２３は、遊技機２の下部に固着されているのではなく、遊技島１の内部へ向けて没入させることができる様に取り付けられている。また、両脇部分２３を収納するため、遊技島１には収納空間２４が設けられている。
【００２８】
両脇部分２３を収納するときは、図６、図７の状態から両脇部分２３を遊技島１の内部へ向けて押し入れる。すると、両脇部分２３は遊技島１の内部の収納位置に平行移動され、収納される。収納時には、図８、図９の様な状態になる。
両脇部分２３を再び元の位置である使用位置に戻すときは、上記と逆の作業、つまり引き出す作業を行えば良い。
【００２９】
この実施の形態によれば、物置台２１を広く使用したい場合には図６、図７の様な状態であるが、車椅子に乗っている人が遊技を行う場合に、車椅子の肘掛けと物置台の高さが同じ位で遊技の邪魔になる（遊技機２に接近することができない）場合には、両脇部分２３を収納し、図８、図９の様な状態にすることができる。この為、車椅子の肘掛けの間に中央部分２２を挟む様にして、遊技機２に近接した状態で遊技をすることができる。ここで、中央部分２２の幅は２０〜３０ｃｍが良い。これは、車椅子に設けられている肘掛けの間隔よりも狭くしなければならない点と、景品球を入れるドル箱を置くことができる程度に広くしなければならない点とを考慮した数値である。また、例えば、両脇部分２３の側面に鋸歯状の突起群を設けると共に、中央部分２２にこの突起群と噛合し得る爪を設け、両者の噛合によって両脇部分２３を使用位置に固定すると共に、噛合の解除によって固定を解除することができる様にするとよい。この様にすると、両脇部分２３を使用位置に固定させることができるので、さらに使い易くなる。
【００３０】
［実施の形態３］
本実施の形態の遊技島設備に適用する物置台は、図１０に示す様に、両脇部分２３は遊技機２の下部に蝶番３１で取り付けられている。蝶番３１によって取り付けられているので、両脇部分２３は下方へ向けて回動させることができる。また、重力によって下方に回動しないように、係止部材（図示せず）が設けられている。
【００３１】
両脇部分２３を収納するときは、係止部材による停止を解除し、両脇部分２３を図１０（ａ）の使用位置から下方へ回動させる。そして、図１０（ｂ）の収納位置まで回動させ、係止部材により係止する。すると、図６の様な状態になる。
両脇部分２３を再び元の位置（使用位置）に戻すときは、上記と逆の作業、つまり上方へ回動させる作業を行えば良い。
【００３２】
以上、本発明の実施の形態を説明したが、本発明は、上記実施の形態に限定されるものではなく、さらに種々なる態様にて実施してもよいことはもちろんである。例えば、実施の形態１において停止部材の一例を挙げたが、ターンテーブルを停止させておくことができれば、他の停止部材でも何等問題ない。また、ターンテーブルは、使用位置と収納位置との間を移動するために半周回転したが、使用位置から９０度回転移動した位置で停止させる構造でも良い。また、実施の形態１と実施の形態２、或は実施の形態１と実施の形態３とを併せて用いると、さらに快適に遊技を行うことができる。
【図面の簡単な説明】
【図１】  実施の形態１の遊技島設備における椅子使用時の斜視図である。
【図２】  実施の形態１の遊技島設備における椅子使用時の側面断面図である。
【図３】  実施の形態１の遊技島設備における椅子収納時の斜視図である。
【図４】  実施の形態１の遊技島設備における椅子収納時の側面断面図である。
【図５】  実施の形態１の停止部材の説明図である。
【図６】  実施の形態２の遊技島設備における両脇部分使用時の斜視図である。
【図７】  実施の形態２の遊技島設備における両脇部分使用時の側面断面図である。
【図８】  実施の形態２の遊技島設備における両脇部分収納時の斜視図である。
【図９】  実施の形態２の遊技島設備における両脇部分収納時の側面断面図である。
【図１０】  実施の形態３の遊技島設備における両脇部分使用時（ａ）及び収納時（ｂ）の側面図である。
【符号の説明】
１・・・遊技島、２・・・遊技機、３・・・スペース、１１・・・椅子、１２・・・ターンテーブル、１３・・・支柱、１４・・・座席部、１５・・・停止部材（停止手段）、１６・・・突起、１７・・・凹部材、１８・・・開口部、１９、座面、２１・・・物置台、２２・・・中央部分、２３・・・両脇部分、２４・・・収納空間、３１・・・蝶番。
【図１】
0004106715.tif 000002
【図２】
0004106715.tif 000003
【図３】
0004106715.tif 000004
【図４】
0004106715.tif 000005
【図５】
0004106715.tif 000006
【図６】
0004106715.tif 000007
【図７】
0004106715.tif 000008
【図８】
0004106715.tif 000009
【図９】
0004106715.tif 000010
【図１０】
0004106715.tif 000011